(57)【要約】【課題】バックガードの位置および空間が有効利用されたシステムキッチン。【解決手段】天板（１０）の後方においてバックガード（５）の位置に対応するように配置された補助天板（１０ａ）を備え、補助天板には開口部（１１ａ〜１１ｅ）が形成され、開口部を利用した複数の機能ユニット（１２〜１６）がシステムキッチンの幅方向に沿って配列されてバックガードを構成している。天板と補助天板とは互いに係合するように構成されている。【選択図】　図４
2004105656.tif 000002
【特許請求の範囲】
【請求項１】
天板の後方においてバックガードの位置に対応するように配置された補助天板を備え、
前記補助天板には、少なくとも１つの開口部が形成され、
前記開口部を利用した複数の機能ユニットがシステムキッチンの幅方向に沿って配列されてバックガードを構成していることを特徴とするシステムキッチン。
【請求項２】
前記天板と前記補助天板とは互いに係合するように構成されていることを特徴とする請求項１に記載のシステムキッチン。
【請求項３】
前記機能ユニットは、電気コンセントユニット、ガス元栓ユニット、排気ユニット、収納ユニット、冷蔵収納ユニット、保温収納ユニット、水栓ユニット、および洗剤ポケットユニットから選択されたユニットであることを特徴とする請求項１または２に記載のシステムキッチン。
【発明の詳細な説明】
【０００１】
【発明の属する技術分野】
本発明は、システムキッチンに関するものである。
【０００２】
【従来の技術】
システムキッチンでは、ベースキャビネットの上部にシンクやカウンターや加熱調理器などが設けられ、その後方にはシステムキッチンの幅方向に沿ってバックガードが設けられている。
【０００３】
【発明が解決しようとする課題】
従来技術では、バックガードが単に後方に配置されたガード（防護壁部）の役割を果たすのみであって、バックガードの位置および空間が有効利用されていなかった。
【０００４】
本発明は、前述の課題に鑑みてなされたものであり、バックガードの位置および空間が有効利用されたシステムキッチンを提供することを目的とする。
【０００５】
【課題を解決するための手段】
前記課題を解決するために、本発明では、天板の後方においてバックガードの位置に対応するように配置された補助天板を備え、
前記補助天板には、少なくとも１つの開口部が形成され、
前記開口部を利用した複数の機能ユニットがシステムキッチンの幅方向に沿って配列されてバックガードを構成していることを特徴とするシステムキッチンを提供する。
【０００６】
本発明の好ましい態様によれば、前記天板と前記補助天板とは互いに係合するように構成されている。また、前記機能ユニットは、電気コンセントユニット、ガス元栓ユニット、排気ユニット、収納ユニット、冷蔵収納ユニット、保温収納ユニット、水栓ユニット、および洗剤ポケットユニットから選択されたユニットであることが好ましい。
【０００７】
【発明の実施の形態】
本発明では、天板の後方においてバックガードの位置に対応するように補助天板が配置され、この天板とは別体に形成された補助天板に少なくとも１つの開口部が形成されている。そして、開口部を利用した複数の機能ユニットが幅方向に沿って配列されてバックガードを構成している。ここで、機能ユニットは、電気コンセントユニット、ガス元栓ユニット、排気ユニット、収納ユニット、冷蔵収納ユニット、保温収納ユニット、水栓ユニット、洗剤ポケットユニットなどである。
【０００８】
以上のように、本発明では、バックガードの位置に対応するように配置された補助天板に形成された開口部を利用した複数の機能ユニットが、システムキッチンの幅方向に沿って、すなわちバックガードの位置および空間に沿って配列されてバックガードを構成している。その結果、本発明では、バックガードの位置および空間が有効利用されたシステムキッチンを実現することができる。なお、天板と補助天板とを互いに係合可能に構成することにより、システムキッチンの組立作業が容易になる。
【０００９】
本発明の実施形態を、添付図面に基づいて説明する。
図１は、本発明の各実施形態にかかるシステムキッチンの全体構成を概略的に示す正面図である。また、図２は、図１のシステムキッチンの上面図である。さらに、図３は、図１のシステムキッチンの右側面図である。また、図４は、第１実施形態にかかるシステムキッチンの構成的な特徴を説明する斜視図である。
【００１０】
図１〜図３を参照すると、各実施形態のシステムキッチンは、床の上に載置されたベースキャビネット１を備えている。ベースキャビネット１の上部には、システムキッチンに向かって最も右側にシンク２が設けられ、最も左側にガスコンロ（または電気コンロ）のような加熱調理器３が設けられている。
【００１１】
また、シンク２とガスコンロ３との間には、カウンター４が設けられている。さらに、シンク２、カウンター４およびガスコンロ３の後方には、システムキッチンのほぼ全幅に亘って、バックガード５が設けられている。そして、バックガード５においてシンク２に対応する位置には水栓６が設けられ、バックガード５においてガスコンロ３に対応する位置には排気口７が設けられている。
【００１２】
次に、図４を参照すると、たとえば人工大理石やステンレス鋼により形成されたシステムキッチンの天板１０の後方においてバックガード５の位置に対応するように、同じく人工大理石やステンレス鋼により天板１０とは別体に形成された補助天板９が配置されている。補助天板９は、水平部分９ａとその両側において鉛直方向に立ち上がる一対の鉛直部分９ｂおよび９ｃとからなるＣ字状の形態を有する。補助天板９の水平部分９ａには、システムキッチンの幅方向に沿って、５つの開口部１１ａ〜１１ｅが形成されている。
【００１３】
第１実施形態では、５つの開口部１１ａ〜１１ｅをそれぞれ利用した５つの機能ユニット１２〜１６が、システムキッチンの幅方向に沿って配列されてバックガード５を構成している。具体的には、システムキッチンに向かって最も左側には、円形状の開口部１１ａを利用したガス元栓ユニット１２が配置されている。ガス元栓ユニット１２は、ガスコンロ３に供給されるガスの元栓の開閉を行う機能を有するユニットである。
【００１４】
ガス元栓ユニット１２には、たとえば湾曲した蓋１２ａが揺動自在に取り付けられ、この蓋１２ａがバックガード５の表面の一部を構成している。なお、加熱調理器として電気コンロを用いる場合には、ガス元栓ユニット１２に代えて電気コンセントユニットを設けることもできる。一般に、電気コンセントユニットには、電気コンロの周辺で使用する電気機器に電力を供給するためのコンセントが設けられている。
【００１５】
また、ガス元栓ユニット１２の右側には、システムキッチンの幅方向に沿って細長い矩形状の開口部１１ｂおよび１１ｃをそれぞれ利用した排気ユニット１３および収納ユニット１４が順次配置されている。排気ユニット１３は、たとえばガスコンロ３の下方に配置された魚焼器から発生する煙を外部へ排出するユニットである。排気ユニット１３の場合、たとえば補助天板９の奥側の鉛直部分９ｃに揺動自在に取り付けられた蓋１３ａがバックガード５の表面の一部を構成する。
【００１６】
一方、収納ユニット１４は、たとえば調理に際して比較的頻繁に用いられる各種の調味料や調理具、さらに洗剤やスポンジなどを収納する機能を有するユニットである。収納ユニット１４には、洗浄後の調理具やスポンジなどから滴り落ちる水を外部へ排出するための排水管１４ａが必要に応じて設けられている。収納ユニット１４の場合も、揺動自在に取り付けられた蓋１４ｂがバックガード５の表面の一部を構成する。
【００１７】
なお、収納ユニット１４に代えて、たとえば調理に際して比較的頻繁に用いられる各種の調味料や食材などを収納するための冷蔵収納ユニットや保温収納ユニットを用いることもできる。いずれの場合も、これら各種の調味料や調理具や洗剤やスポンジや食材などをシステムキッチンに正対した立ち姿勢で取り出すことができ、効率的な調理作業を行うことができる。
【００１８】
さらに、収納ユニット１４の右側には円形状の開口部１１ｄを利用した水栓ユニット１５が配置され、水栓ユニット１５の右側にはシステムキッチンの幅方向に沿って細長い矩形状の開口部１１ｅを利用した洗剤ポケットユニット１６が配置されている。水栓ユニット１５には、シンク２への水や温水の供給を制御（通水・止水を制御）するための水栓６が取り付けられる。
【００１９】
また、洗剤ポケットユニット１６は、洗剤やスポンジなどを収納する機能を有するユニットである。洗剤ポケットユニット１６の場合も、揺動自在に取り付けられた蓋１６ａがバックガード５の表面の一部を構成する。さらに、天板１０、補助天板９およびバックガード５の端面部分を覆うための一対のサイドキャップ１７ａおよび１７ｂが、たとえば嵌合方式により、天板１０および補助天板９の両側に取り付けられている。
【００２０】
以上のように、第１実施形態では、バックガード５の位置に対応するように配置された補助天板９に形成された複数の開口部１１ａ〜１１ｅをそれぞれ利用した複数の機能ユニット１２〜１６が、システムキッチンの幅方向に沿って、すなわちバックガード５の位置および空間に沿って配列されてバックガード５を構成している。こうして、本実施形態では、バックガード５の位置および空間が有効利用されたシステムキッチンを実現することができる。
【００２１】
図５は、第２実施形態にかかるシステムキッチンの構成的な特徴を説明する斜視図である。第２実施形態は、第１実施形態と類似の構成を有する。しかしながら、第２実施形態では、補助天板に１つの開口部しか形成されていない点、および天板と補助天板とが互いに係合するように構成されている点が第１実施形態と相違している。以下、第１実施形態との相違点に着目して、第２実施形態を説明する。
【００２２】
図５を参照すると、第２実施形態では、システムキッチンの幅方向に沿って細長い開口部１１が、補助天板９のほぼ全体に亘って形成されている。すなわち、第２実施形態では、補助天板９に形成された１つの開口部１１を複数の機能ユニット１２〜１６が共有している。また、第２実施形態では、天板１０が、補助天板９の手前側の鉛直部分９ｂと係合する係合部１０ａを備えている。
【００２３】
すなわち、天板１０と補助天板９とが、係合部１０ａと鉛直部分９ｂとの作用により、互いに係合するように構成されている。天板１０に係合部１０ａを形成するには、天板１０が人工大理石ではなくステンレス鋼で形成されていることが好ましい。また、天板１０と補助天板９とを互いに係合可能に構成することにより、システムキッチンの組立作業が容易になる。
【００２４】
なお、上述の各実施形態では、システムキッチンに向かって左側から順に、ガス元栓ユニット１２、排気ユニット１３、収納ユニット１４、水栓ユニット１５、および洗剤ポケットユニット１６を配列している。しかしながら、これに限定されることなく、機能ユニットの種類、数、配列の順序などについて様々な変形例が可能である。
【００２５】
また、上述の各実施形態において、ベースキャビネット１は、システムキッチンの奥行きの全体に亘って延びていても良いし、システムキッチンの奥行きの途中まで延びていても良い。
【００２６】
【発明の効果】
以上説明したように、本発明では、バックガードの位置に対応するように配置された補助天板に形成された開口部を利用した機能ユニットが、システムキッチンの幅方向に沿って、すなわちバックガードの位置および空間に沿って配列されてバックガードを構成しているので、バックガードの位置および空間が有効利用されたシステムキッチンを実現することができる。なお、天板と補助天板とを互いに係合可能に構成することにより、システムキッチンの組立作業が容易になる。
【図面の簡単な説明】
【図１】本発明の各実施形態にかかるシステムキッチンの全体構成を概略的に示す正面図である。
【図２】図１のシステムキッチンの上面図である。
【図３】図１のシステムキッチンの右側面図である。
【図４】第１実施形態にかかるシステムキッチンの構成的な特徴を説明する斜視図である。
【図５】第２実施形態にかかるシステムキッチンの構成的な特徴を説明する斜視図である。
【符号の説明】
１　ベースキャビネット
２　シンク
３　ガスコンロ（または電気コンロ：加熱調理器）
４　カウンター
５　バックガード
６　水栓
７　排気口
９　補助天板
１０　天板
１１，１１ａ〜１１ｅ　開口部
１２　ガス元栓ユニット
１３　排気ユニット
１４　収納ユニット
１５　水栓ユニット
１６　洗剤ポケットユニット
１７ａ，１７ｂ　サイドキャップ
【図１】
2004105656.tif 000003
【図２】
2004105656.tif 000004
【図３】
2004105656.tif 000005
【図４】
2004105656.tif 000006
【図５】
2004105656.tif 000007